【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
哺乳動物のＴＩＭ遺伝子配列を含む、単離された核酸分子。
【請求項２】
前記哺乳動物のＴＩＭ遺伝子配列が、ＴＩＭ−１、ＴＩＭ−３およびＴＩＭ−４の対立遺伝子１、２、３、４、５、６および７からなる群より選択されるヒト配列である、請求項１に記載の単離された核酸分子。
【請求項３】
前記哺乳動物のＴＩＭ遺伝子配列が、ＴＩＭ−１、ＴＩＭ−２、ＴＩＭ−３およびＴＩＭ−４からなる群より選択されるマウス配列である、請求項１に記載の単離された核酸分子。
【請求項４】
配列番号２、４、６、８、１０、１２、１４、１６、１８、２０、２２、２４、２６、２８、３０、３２、３４、または３６のうちのいずれ１つに記載される、少なくとも２０ヌクレオチドの連続配列を含む、単離された核酸。
【請求項５】
配列番号２、４、６、８、１０、１２、１４、１６、１８、２０、２２、２４、２６、２８、３０、３２、３４、または３６のうちのいずれ１つに記載される配列を含む、単離された核酸。
【請求項６】
ＴＩＭ遺伝子多型の検出のためのプローブを含む、請求項１に記載の単離された核酸分子。
【請求項７】
請求項６に記載のプローブの２つ以上を含む、オリゴヌクレオチドのアレイ。
【請求項８】
請求項１に記載の核酸組成物を含む細胞。
【請求項９】
少なくとも５０重量％のタンパク質を含む精製ポリペプチド組成物であって、該タンパク質が、請求項１に記載の核酸またはそのフラグメントの産物として存在する、組成物。
【請求項１０】
前記ポリペプチドが、配列番号１、３、５、７、９、１１、１３、１５、１７、１９、２１、２３、２５、２７、２９、３１、３３、および３５に記載の配列を含む、請求項９に記載の精製ポリペプチド。
【請求項１１】
哺乳動物のＴＩＭポリペプチドに特異的な、抗体。
【請求項１２】
ＴＩＭタンパク質またはそのフラグメントおよび抗体Ｆｃ領域を含む融合タンパク質である、ポリペプチド分子。
【請求項１３】
前記ＴＩＭタンパク質が、ヒトＴＩＭ−１、ＴＩＭ−３またはＴＩＭ−４である、請求項１２に記載のポリペプチド。
【請求項１４】
前記ＴＩＭタンパク質が、マウスＴＩＭ−１、ＴＩＭ−２、ＴＩＭ−３またはＴＩＭ−４である、請求項１２に記載のポリペプチド。
【請求項１５】
前記Ｆｃ領域が、ヒトまたはマウスの免疫グロブリンのＦｃ領域である、請求項１２〜１４のいずれかに記載のポリペプチド。
【請求項１６】
前記Ｆｃ領域が、マウス免疫グロブリンのＦｃ領域である、請求項１２〜１４のいずれかに記載のポリペプチド。
【請求項１７】
請求項１２〜１６のいずれか１項に記載のポリペプチドをコードする、核酸配列。
【請求項１８】
請求項１２〜１６のいずれか１項に記載のポリペプチドをコードする核酸配列を含む、発現ベクター。
【請求項１９】
請求項１２〜１６のいずれか１項に記載のポリペプチドを発現する、細胞。
【請求項２０】
個体における素因性の多型を検出するための方法であって、該方法が、以下：
少なくとも１つの素因性のＴＩＭの多型の存在について該個体のサンプルを分析する工程であって、ここで、該素因性の多型の存在が、該喘息に対する罹患率の増大の指標である、工程、
を包含する、方法。
【請求項２１】
前記分析工程が、前記個体のゲノムＤＮＡまたはｍＲＮＡと、請求項６に記載の１つまたは複数のプローブとの間の特異的な結合の検出を包含する、請求項２０に記載の方法。
【請求項２２】
前記分析工程が、前記個体由来の細胞またはタンパク質と、請求項１１に記載の抗体との間の特異的な結合の検出を包含する、請求項２０に記載の方法。
【請求項２３】
ＴＩＭ遺伝子のノックアウトを含む、ＴＩＭ遺伝子機能についての非ヒトトランスジェニック動物モデル。
【請求項２４】
ＴＩＭ機能を調節する、生物学的に活性な薬剤についてのスクリーニングの方法であって、該方法が、以下：
以下のいずれか１つと、生物学的に活性な薬剤の候補を混ぜる工程：
（ａ）  哺乳動物のＴＩＭポリペプチド；
（ｂ）  哺乳動物のＴＩＭポリペプチドをコードする核酸を含有する、細胞；または
（ｃ）  ＴＩＭ遺伝子機能についての非ヒトトランスジェニック動物モデル；および
ＴＩＭ機能に対する該薬剤の効果を決定する工程、
を包含する、方法。
【請求項２５】
前記生物学的に活性な薬剤が、ＴＩＭの発現を下方制御または上方制御する、請求項２４に記載の方法。
【請求項２６】
前記生物学的に活性な薬剤が、前記ＴＩＭポリペプチドの活性を阻害するかまたは上昇させる、請求項２４に記載の方法。
【請求項２７】
個体における素因性の多型を検出するための方法であって、該方法が、以下：
少なくとも１つの素因性のＴＩＭの多型の存在について該個体のサンプルを分析する工程であって、ここで、該素因性の多型の存在が、該免疫不全に対する罹患率の増大の指標である、工程、
を包含する、方法。
【請求項２８】
個体における素因性の多型を検出するための方法であって、該方法が、以下：
少なくとも１つの素因性のＴＩＭの多型の存在について該個体のサンプルを分析する工程であって、ここで、該素因性の多型の存在が、癌治療に対する耐性の増大の指標である、工程、
を包含する、方法。
【請求項２９】
個体における素因性の多型を検出するための方法であって、該方法が、以下：
少なくとも１つの素因性のＴＩＭ−１発現プロフィールの存在について該個体のサンプルを分析する工程であって、ここで、該ＴＩＭ−１の発現プロフィールが、癌治療に対する耐性の増大の指標である、工程、
を包含する、方法。
【請求項３０】
個体における素因性の多型を検出するための方法であって、該方法が、以下：
少なくとも１つの素因性のＴＩＭ−４発現プロフィールの存在について該個体のサンプルを分析する工程；ここで、該ＴＩＭ−４の発現プロフィールが、癌治療に対する耐性の増大の指標である、工程、
を包含する、方法。
【請求項３１】
免疫学的障害の処置のための薬学的組成物を調製するための、ＴＩＭポリペプチドの機能を調節する薬剤の使用。
【請求項３２】
前記ＴＩＭポリペプチドが、ＴＩＭ−１、ＴＩＭ−３またはＴＩＭ−４である、請求項３１に記載の使用。
【請求項３３】
前記薬剤が、請求項１２〜１６のいずれか１項に記載の融合タンパク質である、請求項３１に記載の使用。
【請求項３４】
前記薬剤が、ＴＩＭ−１、ＴＩＭ−３またはＴＩＭ−４に特異的な抗体または抗体フラグメントである、請求項３１に記載の使用。
【請求項３５】
前記薬剤が、ＴＩＭ−１、ＴＩＭ−３またはＴＩＭ−４の機能を阻害する化合物である、請求項３１に記載の使用。
【請求項３６】
前記免疫学的障害が喘息である、請求項３１〜３５のいずれか１項に記載の使用。
【請求項３７】
前記免疫学的障害がアレルギーである、請求項３１〜３５のいずれか１項に記載の使用。
【請求項３８】
前記免疫学的障害が湿疹である、請求項３１〜３５のいずれか１項に記載の使用。
【請求項３９】
前記免疫学的障害が自己免疫疾患である、請求項３１〜３５のいずれか１項に記載の使用。
【請求項４０】
前記免疫学的障害が、アトピー性疾患である、請求項３１〜３５のいずれか１項に記載の使用。
【請求項４１】
悪性腫瘍の処置のための薬学的組成物を調製するための、ＴＩＭポリペプチドの機能を調節する薬剤の使用。
【請求項４２】
前記ＴＩＭポリペプチドがＴＩＭ−１、ＴＩＭ−３またはＴＩＭ−４である、請求項４１に記載の使用。
【請求項４３】
前記薬剤が、請求項１２〜１６のいずれか１項に記載の融合タンパク質である、請求項４１に記載の使用。
【請求項４４】
前記薬剤が、ＴＩＭ−１、ＴＩＭ−３またはＴＩＭ−４に特異的な抗体または抗体フラグメントである、請求項４１に記載の使用。
【請求項４５】
前記薬剤が、ＴＩＭ−１、ＴＩＭ−３またはＴＩＭ−４の機能を阻害する化合物であり、そして化学療法剤または放射線治療の効果を増強する、請求項４１に記載の使用。